(57)【要約】【課題】簡便に組み立てることができ、剛性の高い組立棚を提供する。【解決手段】複数枚の棚板１１と、これらの棚板１１を略水平な状態で支持する支持板１２と、棚板１１と支持板１２とを接続する接続部品２０Ａ、２０Ｂ、３０とから構成される組立棚１であって、棚板１１にはその幅方向に複数の通路１３が形成され、支持板１２にはその縦方向に複数の通路１３が形成され、この接続部品２０Ａ、２０Ｂ、３０は、棚板１１及び支持板１２の端面に当接して、棚板１１と支持板１２とを略直角に、棚板１１同士については略水平に、支持板１２同士については上下方向にそれぞれ保持する位置決め部２１と、この位置決め部２１から延設され棚部１１の通路１３および支持板１２の通路１３にそれぞれ圧入される突起部２３とを有する。【選択図】　　　図１
0003097992.tif 000002
【実用新案登録請求の範囲】
【請求項１】
複数枚の棚板と、これらの棚板を略水平な状態で支持する支持板と、上記棚板と上記支持板とを接続する接続部品とから構成される組立棚であって、
上記棚板はその幅方向に複数の通路が形成され、上記支持板はその縦方向に複数の通路が形成され、
上記接続部品は、外周側角部に配置される棚板と支持板とをＬ字状に、外周側中間部に配置される棚板と支持板とをＴ字状に接続する複数の部品からなり、
上記Ｌ字状に接続する接続部品は各板の接続側端面に当接して両板を直角に位置決めする位置決め部を有し、上記Ｔ字状に接続する接続部品は上記棚板と支持板とを直角に位置決めするとともに棚板同士または支持板同士を直線上に位置決めする位置決め部を有し、上記位置決め部に上記棚部の通路および上記支持板の通路にそれぞれ圧入される突起部が形成されていることを特徴とする組立棚。
【請求項２】
上記組立棚が、幅方向に複数並設される棚板と、上下方向に複数並設される上記支持板とを有し、組立棚の内側に配置される上記棚板と支持板とを十字状に接続する接続部品を有する請求項１記載の組立棚。
【請求項３】
上記棚板と上記支持板における前後方向の長さが略同一に形成され、外周側に配置される上記接続部品の位置決め部が、各板の前後方向の長さと略同一の長さを有する角柱状に形成されていることにより、上記接続側端面を遮蔽するように構成されている請求項１または２記載の組立棚。
【請求項４】
上記突起部が圧入される部分の上記棚板及び上記支持板に貫通孔が形成され、この貫通孔と対応して上記突起部に係止部が設けられ、上記貫通孔から差し込まれた固定ピンを上記係止部に係止させることによって、上記棚板の通路内に圧入された上記突起部を固定するように構成されている請求項１〜３のいずれか１項に記載の組立棚。
【請求項５】
上記組立棚の背面を遮蔽するための背板を有し、上記棚板及び上記支持板の背面側に上記背板を差し込むための溝部が形成され、各溝部に上記背板の周縁を差し込むように構成されている請求項１〜４のいずれか１項に記載の組立棚。
【請求項６】
上記支持板における前後方向のいずれか一方の縁部に組立棚を前後方向に連結するための連結孔を有し、上記組立棚が前後方向に重ねて配置された場合に上記組立棚の各連結孔に連結部材を架設して組立棚同士を固定するように構成されている請求項１〜５のいずれか１項に記載の組立棚。
【考案の詳細な説明】
【０００１】
【考案の属する技術分野】
本考案は、物品を置いたり飾ったりするための組立棚に関するものである。
【０００２】
【従来の技術】
従来、物品を置いたり飾ったりする組立棚としては、例えば特許文献１に記載されているような組立棚がある。
【０００３】
この組立棚は、骨組みとなるパイプ状の杆材と、この杆材同士を連結するジョイントと、物品を乗せるための棚板とを有している。そして、この組立棚を組み立てるときは、まず、上記杆材同士をジョイントで連結することによりこの組立棚の骨組みを組み立て、その後、この骨組みに上記棚板を取り付ける手順で行う。
【０００４】
【特許文献１】
実開平７−００３３８４号公報
【０００５】
【考案が解決しようとする課題】
しかしながら、この組立棚を組み立てるときは、まず杆材とジョイントを用いて骨組みを組み立て、その後棚板をその骨組みに位置決めして取り付ける作業を行う必要があり、複雑な工程を必要とするため、組み立て作業に手間を要していた。また、組み立てられた組立棚は棚板を載せているだけのものであり不安定であった。
【０００６】
そこで本考案は、簡便に組み立てることができ、しかも組み立てられた後は高い剛性を有する組立棚を提供するものである。
【０００７】
【課題を解決するための手段】
本考案は、複数枚の棚板と、これらの棚板を略水平な状態で支持する支持板と、棚板と支持板とを接続する接続部品とから構成される組立棚であって、棚板はその幅方向に複数の通路が形成され、支持板はその縦方向に複数の通路が形成され、接続部品は、外周側角部に配置される棚板と支持板とをＬ字状に、外周側中間部に配置される棚板と支持板とをＴ字状に接続する複数の部品からなり、Ｌ字状に接続する接続部品は各板の接続側端面に当接して両板を直角に位置決めする位置決め部を有し、Ｔ字状に接続する接続部品は棚板と支持板とを直角に位置決めするとともに棚板同士または支持板同士を直線上に位置決めする位置決め部を有し、位置決め部に棚部の通路および支持板の通路にそれぞれ圧入される突起部が形成されている組立棚である。
【０００８】
本考案において、上記組立棚が、幅方向に複数並設される棚板と、上下方向に複数並設される上記支持板とから構成される場合、組立棚の内側に配置される棚板と支持板とを十字状に接続する接続部品が備えられる。
【０００９】
この組立棚では、上記接続部品の突起部を棚板及び支持板の通路に圧入するだけで、棚板と支持板とを略直角に、棚板同士については水平に、支持板同士については上下方向にそれぞれ位置決めした状態で保持することができる。したがって、この組立棚を組み立てるときは、従来のように別途に骨組みを組み立てる必要がなく、組立作業にかかる手間が軽減される。
【００１０】
また本考案は、上記棚板と上記支持板における前後方向の長さが略同一に形成され、外周側に配置される上記棚板と上記支持板とを接続する接続部品の位置決め部が、各板の前後方向の長さと略同一の長さを有する角柱状に形成されていることにより上記接続側端面を遮蔽するように構成されているものである。
【００１１】
この接続部品の構成では、上記組立棚を組み立てたとき、上記接続部品によって上記接続面端面が遮蔽されるため、外観上では、一体感のある組立棚を構成することが出来る。
【００１２】
また、上記突起部が圧入される部分の上記棚板及び上記支持板にはそれぞれ貫通孔が形成され、それらの貫通孔と対応して上記突起部に係止部が設けられ、上記貫通孔から差し込まれた固定ピンを上記係止部に係止させることによって、上記棚板の通路内に圧入された上記突起部を固定するようにしているため、上記突起部と上記棚板及び上記支持板との固定がより強固になり、組立棚を組み立てた時の強度が向上する。
【００１３】
またさらに、上記組立棚の背面を遮蔽するための背板を有し、上記棚板及び上記支持板の背面側に上記背板を差し込むための溝部を形成し、各溝部に上記背板の周縁を差し込むように構成すると、開放式の組立棚を背面が閉塞された収納棚にすることが出来る。
【００１４】
また本考案では、上記支持板における前後方向のいずれか一方の縁部に組立棚を前後方向に連結するための連結孔を有し、上記組立棚が前後方向に重ねて配置された場合に上記組立棚の各連結孔に連結部材を架設して組立棚同士を固定するように構成されているものである。
【００１５】
このように連結孔と連結部材を備えれば、上記組立棚が前後方向に重ねて配置された場合でも組立棚同士を固定することが出来、収納の奥行き深さを変更することが出来、また、組立バリエーションを変化させることができる。
【００１６】
【考案の実施の形態】
本考案の実施形態について、図１〜図９を用いて説明する。ただし、本考案は以下の実施形態に限定されることはない。
【００１７】
第１実施形態（図１〜図３参照）
図１において、組立棚１は、複数枚の棚板１１と、複数枚の支持板１２と、それらの各板を接続する接続部品とから主として構成される。
【００１８】
棚板１１は、主にポリプロピレン、ＡＢＳ樹脂等の合成樹脂材からなり、射出成形によって板状に構成されている。その長さ方向に延びるように通路１３が複数平行に形成され、これらの通路１３同士は前後方向に複数配列されてはしご状の断面を形成している。また、この棚板１１における端面側、かつ、前後方向の各端部には棚板１１を貫通する貫通孔４１が形成されている。（図３参照）。
【００１９】
支持板１２は、棚板１１と同形状に形成されており、共通する部分について同符号を付するのみとし、詳細な説明は省略する。
【００２０】
また棚板１１及び支持板１２を接続する接続部品としては、組立棚１の外周に配置される部品２０Ａ並びに２０Ｂと、外周以外の内側部分に配置される部品３０とを有する。
【００２１】
接続部品２０Ａは、コーナー部に配置される棚板１１と支持板１２とをＬ字型に接続するものであり、位置決め部２１と突起部２３とを備えている。位置決め部２１は、棚板１１又は支持板１２の厚みと略同じ長さの四辺を断面とする四角柱からなり、断面と直交する方向の長さは、棚板１１及び支持板１２の前後方向の長さと略同じ長さに形成され、それにより、棚板１１又は支持板１２の接続側端面を塞ぐ状態でそれらの端面に当接するようになっている。また、この位置決め部２１の隣接する二側面には突起部２３が角筒状に延設されている。
【００２２】
また接続部品２０Ｂは、外周側の棚板１１同士を水平に接続するとともに支持板１２をＴ字状に接続するものであり、突起部２３が、位置決め部２１の三側面に延設されている。
【００２３】
接続部品３０は、組立棚１内側に配置される棚板１１と支持板１２とを十字状に接続するものであり、位置決め部３１と突起部３３とを備えている。
【００２４】
位置決め部３１は、略直方体の形状に形成され、棚板１１又は支持板１２の厚みと略同じ長さの四辺を有し、各面に突起部３３が延設されている。ただし、この接続部品３０は、接続側端面を目隠しする必要がないため、棚板１１と支持板１２とを十字方向に接続するにあたり２個の部品から構成されている。
【００２５】
なお、接続部品２０Ａ、２０Ｂ、３０の突起部２３、３３には、その突起部２３、３３が延びる方向の略中央部の一端側に略半円状に欠けるような形状の係止部４３が形成されている。またこの係止部４３は、これらの突起部２３が通路１３に圧入されたとき、棚板１１及び支持板１２に形成された貫通孔４１と対応する。
【００２６】
この組立棚１の組み立ては、接続部品２０Ａ、２０Ｂ、３０の突起部２３を、棚板１１及び支持板１２の通路１３に圧入し、支持板１２及び通路１３の端面を位置決め部２１に当接させ、その後、貫通孔４１及び係止部４３に固定ピン４５を圧入することにより行う。なお、貫通孔４１及び係止部４３に固定ピン４５を圧入する工程は、接続部品２０Ａの場合しか図示していないが、接続部品２０Ｂ、３０においても同じ方法で行う。
【００２７】
このように棚板１１及び支持板１２が接続部品２０Ａ、２０Ｂ、３０の位置決め部２１によって位置決め、保持されることにより、棚板１１同士は、組立棚１の幅方向に接続されて水平に延設され、支持板１２は、組立棚１の上下方向に接続されて垂直に延設される。
【００２８】
この組立棚１では、接続部品２０Ａ、２０Ｂ、３０の突起部２３を棚板１１及び支持板１２の通路１３に圧入するだけで、棚板１１と支持板１２とが略直角のなすように保持され、棚板１１同士については水平に、支持板１２同士については縦方向に配列されるようにそれぞれ保持されるため、組立棚１を正確に格子状に組むことができる。したがって、この組立棚１を組み立てるときは、従来のように別途に骨組みを組み立てなく必要がなく、組立作業にかかる手間を軽減することが出来る。
【００２９】
また、組立棚１の外周側に配置される接続部品２０Ａ及び２０Ｂの位置決め部２１は、棚板１１及び支持板１２の前後方向の長さと略同一に形成されており、突起部２３が棚板１１及び支持板１２の通路１３に圧入されたとき、これらの端面と位置決め部２１とが当接することになるため、組立棚１が組み立てられた状態ではこれらの端面は位置決め部２１により遮蔽され、外観上見えなくなる。したがって、組立棚１を組み立てた後にはデザインを損なうような端面が目隠しされる。
【００３０】
さらに外周側に配置される接続部品２０Ａ、２０Ｂの位置決め部２１は、接続部品３０に形成されている位置決め部３１と比較してその長さが異なるため、一目で組立棚の外周に配置される接続部品と組立棚の内側に配置される接続部品とを識別できる。
【００３１】
また、突起部２３が圧入される部分の棚板１１及び支持板１２に貫通孔４１が形成され、この貫通孔４１と対応して突起部２３に係止部４３が設けられ、貫通孔４１から差し込まれた固定ピン４５を係止部４３に係止させることによって突起部２３を固定するように構成しているため、突起部２３と棚板１１及び突起部２３と支持板１２の固定力がより強力になり、組立棚１を組み立てた時の強度が向上される。
【００３２】
第２実施形態（図４〜図６参照）
以下の実施形態において、第１実施形態と同一部分には同一符号を付して示し、その重複説明を省略する。
【００３３】
まず、図４、図５を用いて説明すると、この組立棚１は、棚板１１と、支持板１２と、接続部品２０Ａ，２０Ｂ，３０のうち少なくとも一つの接続部品とを備えるとともに、背板５１も具備している。また、本実施形態の棚板１１及び支持板１２は、下記のような三種類の形状が存在する。なお、支持板１２の形状は棚板１１と共通のため、棚板１１のみを説明し、支持板１２の説明は省略する。
【００３４】
棚板１１Ｂ及び棚板１１Ｃの面には、組立棚１が組み立てられたときに背面側に配置される部分に溝部１５が形成されている。棚板１１Ｂには片面のみに溝部１５が形成され、棚板１１Ｃには両面に溝部１５が形成されている。なお、棚板１１Ａには溝部１５は形成されていない。
【００３５】
背板５１は、本体部分５２と、背板縁部５３とを有する。本体部分５２は、その一辺が、棚板１１及び支持板１２の長さと略同じ長さとなるように形成されている。また、背板縁部５３は、本体部分５２の縁から突出した状態で形成され、溝部１５に差込可能となっている。
【００３６】
そして、これらの棚板１１及び支持板１２を使用して組立棚１を組み立てるとき、棚板１１Ｂ及び棚板１１Ｃが配置する場合は、溝部１５に背板５１の背板縁部５３を挿入した状態で組み立てる。
【００３７】
なお、この組み立てを行うとき、溝部１５が組立棚１の外周に露出しないように配置し、かつ、溝部１５が形成された面の対面側には、必ず溝部１５が配置されるように棚板１１Ｂ、１１Ｃを配置する。例えば、図４のように、上下二枚の棚板１１Ｂ及び左右二枚の支持板１２Ｂを各々対面するように配置するとき、棚板１１Ｂ同士は、溝部１５が形成された面が対向するように配置し、支持板１２Ｂ同士も溝部１５が形成された面が対向するように配置する。そしてこれらの溝部１５に背板縁部５３を差し込むことで組立棚に背板５１が取り付けられる。
【００３８】
このように、組立棚１の背面に背板５１を配置すると、開放式の組立棚１を背面が閉塞された組立棚１とすることが出来る。
【００３９】
なお、背板５１及び棚板１１Ａ、１１Ｂ、１１Ｃ及び支持板１２Ａ、１２Ｂ、１２Ｃの配置位置の組み合わせとしては、図６（ａ）〜図６（ｃ）のような組み合わせが考えられる。図６（ａ）は背板５１が配置される組立棚１を交互に配置する形態を示しており、図６（ｂ）は下半分に配置される組立棚１のみに背板５１を配置した形態を示しており、図６（ｃ）は、すべての組立棚１に背板５１を配置した形態を示したものである。
【００４０】
このように、背板５１を配置する位置を変更することにより組立棚にデザイン性を持たせたり、また、棚毎に組立棚の機能を変更することもできるようになる。
【００４１】
第３実施形態（図７〜図９参照）
まず、図７、図８を用いて本実施形態を説明する。組立棚１は、前後方向に三列配置されている。そして、前後方向に重ねて配置される組立棚１同士は、連結部材４７によって固定されている。
【００４２】
連結部材４７は、板状に形成された本体部４７ｂと、この本体部４７ｂの二箇所から略同一方向に突出するように形成された連結部材突起部４７ａとを備えている。
【００４３】
そして、この連結部材突起部４７ａは、前側に配置される支持板１２のうち後方縁部に配置される貫通孔４１、及び、後側に配置される支持板１２のうち前方縁部に配置される貫通孔４１に各々圧入されることにより、前後方向に重ねて配置された組立棚１同士が、その連結部材４７により相互に固定される。すなわち、支持板１２に形成されている貫通孔４１は、連結部材４７が架設される連結孔の機能も兼ねている。
【００４４】
したがって、この構成の組立棚１では、組立棚１が前後方向に重ねて配置された場合に連結部材４７で組立棚１同士を固定することにより、収納の奥行深さを変更することが出来、また、組立バリエーションを変化させることが出来る。
【００４５】
なお、棚板１１並びに支持板１２の配置位置、及び、接続部品２０Ａ、２０Ｂ、３０の配置位置により、前後方向の各列に配置される組立棚１は、任意の配置形態に配置出来る。具体例としては、例えば図９（ａ）〜図９（ｄ）のものが考えられる。図９（ａ）は、二枚の棚板１１と二枚の支持板１２を仕様して組み立てたものであり、図９（ｂ）は、Ｌ字型の形状となるように組立棚１を組み立てたものである。また、図９（ｃ）は、三個の組立棚１を縦方向一列に配置したものであり、図９（ｄ）は、六個の組立棚１を階段状に配置したものである。なお、組立棚１の配置形態は、図９（ａ）〜（ｄ）に図示した形態に限定されることはなく、例えば、図７の前後方向二列目のように、複数の組立棚１を長方形の形状に配置したりすることも可能である。
【００４６】
したがって、この組立棚１の構成にすると、幅方向についても必要に応じて臨機応変に組立棚１の配置形態を変更することが出来る。
【００４７】
その他実施形態
（１）　上記実施形態では、接続部品３０の位置決め部２１は、必ずしも四角柱状に形成する必要はなく、位置決め部２１の形状が円柱となるように形成してもよい。しかしながら、位置決め部２１を四角柱状に形成するほうが、棚板１１と支持板１２とを略直交させた状態で保持することを、より確実に行う点ではより好ましい。
【００４８】
（２）　第３実施形態では、支持板１２の貫通孔４１が連結部材４７が架設される連結孔の機能も有していることになるが、必ずしもこのような形態にする必要はなく、貫通孔４１とは別途に上記連結孔を形成してもよい。しかしながら、上記貫通孔４１が上記連結孔の機能も有するようにすると、支持板１２の製造時に別途連通孔を形成する必要がなく、製造時の手間を低減することが出来る。
【００４９】
（３）　本実施形態では棚板１１と支持板１２は同じ形状に形成されているが、必ずしも同じ形状に形成する必要はなく、例えば、棚板１１と支持板１２の長さ方向の寸法を違えることも可能である。
【００５０】
（４）　棚板１１や支持板１２の前面に配置される部分にＬＥＤ等の照明具を配置してもよい。このように照明具を配置すると、組立棚１をより美しく見せることが出来る。
【００５１】
【考案の効果】
以上のように本考案の組立棚の構成では、上記接続部品の上記突起部を上記棚板及び支持板の通路に圧入するだけで、上記棚板上に物品を置くことができる状態に組み立てることが可能となる。したがって、この棚を組み立てるときは、従来のように別途に骨組を組み立てなく必要がなく、組立作業にかかる手間が軽減することが可能となる。
【００５２】
さらに、上記貫通孔から差し込まれた固定ピンを上記係止部に係止させることにより、上記突起部と上記棚板及び上記支持板との固定がより強固になり、組立棚を組み立てた時の強度を向上させることが出来る。
【００５３】
また、上記組立棚の背面に背板が配置することが出来るため、開放式の組立棚を背面が閉塞された収納棚とすることが出来る。
【００５４】
さらに、上記組立棚の各連結孔に連結部材を架設して前後方向に配置された組立棚同士を固定するように出来るため、収納の奥行深さを変更することが出来、また組立バリエーションを変化させることが出来る。
【図面の簡単な説明】
【図１】第１実施形態にかかる組立棚の分解斜視図である。
【図２】第１実施形態にかかる組立棚の接続部品の斜視図である。
【図３】第１実施形態にかかる組立棚の組み立て状況を示した斜視図である。
【図４】第２実施形態にかかる組立棚の分解斜視図である。
【図５】第２実施形態にかかる棚板及び支持板の斜視図である。
【図６】第２実施形態にかかる棚板及び支持板及び背板の配置形態を示した正面図である。
【図７】第３実施形態にかかる組立棚の斜視図である。
【図８】第３実施形態にかかる組立棚の組み立て状況を示した斜視図である。
【図９】第３実施形態にかかる棚板及び支持板及び背板の配置形態を示した正面図である。
【符号の説明】
１　組立棚
１１、１１Ａ、１１Ｂ、１１Ｃ　棚板
１２、１２Ａ、１２Ｂ、１２Ｃ　支持板
１３　通路
１５　溝部
２０Ａ、２０Ｂ、３０　接続部品
２１、３１　　　　　位置決め部
２３、３３　突起部
４１　貫通孔
４３　係止部
４５　固定ピン
４７　連結部材
５１　背板
５３　背板縁部
【図１】
0003097992.tif 000003
【図２】
0003097992.tif 000004
【図３】
0003097992.tif 000005
【図４】
0003097992.tif 000006
【図５】
0003097992.tif 000007
【図６】
0003097992.tif 000008
【図７】
0003097992.tif 000009
【図８】
0003097992.tif 000010
【図９】
0003097992.tif 000011